(57)【特許請求の範囲】
【請求項１】
個々を識別するためのアドレスが付与された複数の火災感知器および表示機が接続され、前記アドレスに基づき前記火災感知器と通信を行い、火災発生時に火元火災感知器の情報を表示するとともに表示機にもその情報を表示させる火災受信機において、
画像データを格納した画像情報部とアドレスに関連付けて画像データの情報を含む火災感知器情報を格納した感知器情報部とを有する記憶部と、
前記感知器情報部に格納された火元火災感知器の火災感知器情報に基づき、火元火災感知器に関連付けられた画像データを前記画像情報部から読み出して表示する表示操作部と、
を備え、
前記感知器情報部は、前記火災受信機から各火災感知器までの経路情報である火元経路情報を有し、
前記表示操作部は、前記火元経路情報に基づき、火災受信機から火元火災感知器に至る経路の画像データを前記画像情報部から読み出して表示することを特徴とする火災受信機。
【請求項２】
前記表示操作部が前記画像情報部から読み出した前記画像データを携帯端末に送信する転送部を備えたことを特徴とする請求項１に記載の火災受信機。
【請求項３】
個々を識別するためのアドレスが付与された複数の火災感知器および表示機が接続され、前記アドレスに基づき前記火災感知器と通信を行い、火災発生時に火元火災感知器の情報を表示するとともに表示機にもその情報を表示させる火災受信機において、
画像データを格納した画像情報部とアドレスに関連付けて画像データの情報を含む火災感知器情報を格納した感知器情報部とを有する記憶部と、
前記感知器情報部に格納された火元火災感知器の火災感知器情報に基づき、火元火災感知器に関連付けられた画像データを前記画像情報部から読み出して表示する表示操作部と、
を備え、
前記記憶部は、前記表示機から非常口までの経路情報である避難経路情報を格納した避難経路情報部を有し、
火災発生時に前記避難経路情報に基づき、表示機から非常口に至る経路の画像データを前記画像情報部から読み出して、表示機に送信し、表示させる表示機制御部を備えたことを特徴とする火災受信機。
【発明の詳細な説明】
【技術分野】
【０００１】
本発明は、火災発生時に、火災発生場所の情報を表示する火災受信機に関する。
【背景技術】
【０００２】
従来の火災受信機は、火災感知器に付与されるアドレスに関連付けて、設置場所の地区番号および名称の情報を記憶している。そして、火災が発生すると火災受信機は、火災警報として火災発生場所の火災感知器に関連付けられた地区番号および地区名称を表示する。その表示の例として、特許文献１の図２には設置場所の地区番号として「１棟  １階  ００１地区００１」を表示している。
建物の監視員である守衛や警備員は、その表示を見て火災発生場所を把握し、火災発生場所に向かい、火災状況を確認した上で初期消火や消防への通報を行う。
【先行技術文献】
【特許文献】
【０００３】
【特許文献１】特開２０１２−５３５７７号公報
【発明の概要】
【発明が解決しようとする課題】
【０００４】
しかしながら、従来の火災発生場所の表示は、文字による表示のみであるため、監視員が火災発生場所を把握しにくく、火災発生場所に到着するまでに時間がかかってしまい、初期消火や消防への通報が遅れてしまうおそれがあった。
【課題を解決するための手段】
【０００５】
本発明に係る火災受信機は、個々を識別するためのアドレスが付与された複数の火災感知器および表示機が接続され、前記アドレスに基づき前記火災感知器と通信を行い、火災発生時に火元火災感知器の情報を表示するとともに表示機にもその情報を表示させる火災受信機において、画像データを格納した画像情報部とアドレスに関連付けて画像データの情報を含む火災感知器情報を格納した感知器情報部とを有する記憶部と、前記感知器情報部に格納された火元火災感知器の火災感知器情報に基づき、火元火災感知器に関連付けられた画像データを前記画像情報部から読み出して表示する表示操作部と、を備え、前記感知器情報部は、前記火災受信機から各火災感知器までの経路情報である火元経路情報を有し、前記表示操作部は、前記火元経路情報に基づき、火災受信機から火元火災感知器に至る経路の画像データを前記画像情報部から読み出して表示することを特徴とする
【発明の効果】
【０００６】
本発明によれば、火災発生場所に関連する画像が表示されるため、監視員が火災発生場所を把握しやすく、初期消火や消防への通報等を迅速に行うことができる。
また、火災受信機から火災発生場所に至る経路の画像が表示されるため、さらに火災発生場所を把握しやすい。
また、火災発生場所やそこまでの経路の画像を携帯端末に送信できるため、監視員は火災発生場所に向かう間も画像を見ることができ、火災発生場所を間違えにくい。
また、表示機に非常口までの避難経路を表示させるため、避難者が避難しやすい。
また、火元経路および避難経路の画像表示に火災感知器に関連付けられた画像を用いるため、記憶容量を抑えることができる。
【図面の簡単な説明】
【０００７】
【図１】本発明の実施の形態に係る火災受信機および火災受信機に接続される機器の設置状態の一例を示す設置図である。
【図２】本発明の実施の形態に係る火災受信機の一例を示す概略構成図である。
【図３】本発明の実施の形態に係る火災受信機の感知器情報部に格納されている火災感知器に関する情報を示す図である。
【図４】本発明の実施の形態に係る火災受信機の避難経路情報部に格納されている避難経路情報を示す図である。
【図５】本発明の実施の形態に係る火災受信機の火災警報時の表示画面の一例である。
【発明を実施するための形態】
【０００８】
以下、本発明の実施の形態について図面に基づき説明する。
図１は、本発明の実施の形態に係る火災受信機および火災受信機に接続される機器の設置状態の一例を示す設置図である。
図１において、左上の守衛室に火災受信機１０が設置され、火災受信機１０には個々を特定するためのアドレスが付与された火災感知器ＡＤ０１〜１７が接続されている。ここで、ＡＤはアドレスを表し、０１〜１７の様な数字が付与されているアドレスの番号である。また、火災受信機１０には、火災発生時に火災受信機１０と同様な火災警報の表示を行う火災表示機Ｍ１およびＭ２が接続されている。
【０００９】
なお、図１に図示した火災感知器ＡＤ０１〜１７および表示機Ｍ１、Ｍ２は、火災受信機１０に接続されているものの一部であり、実際には更に多くの火災感知器および表示機が接続されている。そして、火災感知器および表示機の接続数は、上記に限定されるものではなく、設置される建物等の大きさに応じて適宜変更することができる。以降の説明において、特定の火災感知器について説明するとき以外は、ＡＤ０１〜１７の符号を付与せず単に火災感知器と呼称する。また、表示機についても同様である。
【００１０】
（火災受信機の構成）
図２は、本発明の実施の形態に係る火災受信機１０の一例を示す概略構成図である。
火災受信機１０は、伝送部１１、火災判定部１２、記憶部１３、表示操作部１４、表示機制御部１５および転送部１６を備える。
伝送部１１は、伝送線２０を介して火災感知器と接続され、アドレスに基づき火災感知器と通信して情報の授受を行っている。
【００１１】
火災判定部１２は、伝送部１１によって収集された火災感知器の情報に基づき、火災発生の判定を行う。火災判定部１２は、火災感知器が煙濃度や温度等により火災を判断するシステムにおいては、火災感知器からの情報に火災情報が含まれているか否かで火災発生を判定し、火災感知器が煙濃度や温度等のアナログ値を送信するシステムにおいては、アナログ値が所定の値を超えているか否かで火災発生を判定する。これ以降の説明においては、火災感知器が火災を判断するシステムとして説明する。
【００１２】
記憶部１３は、画像情報部１３Ａ、感知器情報部１３Ｂ、避難経路情報部１３Ｃを有する。
画像情報部１３Ａは、火災感知器の設置場所の写真等の画像データが格納されている。
感知器情報部１３Ｂは、火災感知器に関連する情報である火災感知器情報として、火災感知器のアドレスに関連付けて、設置場所の地区番号、地区名称、画像情報部１３Ａに格納されている画像データを指定する画像情報および火元経路情報として火災受信機１０から当該火災感知器までの間に存在する他の火災感知器のアドレスを格納している。
避難経路情報部１３Ｃは、避難経路情報として表示機から非常口や一時避難場所までの間に存在する火災感知器のアドレスを格納している。
【００１３】
表示操作部１４は、ＬＣＤ装置等の表示装置を有し、ＬＣＤ装置に表示する画面上に操作用のソフトウェアスイッチを有する。
表示機制御部１５は、通信線３０を介して表示機と接続され、表示機と通信を行い、表示機に表示する内容を制御している。
転送部１６は、赤外線通信やブルートゥース等の近距離無線通信あるいは有線接続により、スマートフォンやタブレット等の携帯端末に情報を送信する。
【００１４】
（感知器情報部）
図３は、感知器情報部１３Ｂに格納される火災感知器情報を示す図である。
図３において、一番左のアドレス列に火災感知器のアドレスを表示し、その右側に順に、火災感知器の設置場所の地区番号列、設置場所の地区名称列、画像情報列、火元経路情報列を表示している。火災感知器のアドレスと同じ行に表示されている情報が、火災感知器のアドレスに関連付けられた情報を示している。例えば、火災感知器ＡＤ１２は、地区番号が「１棟１階９番」であり、地区名称が「店舗２」、画像情報が画像データのファイル名「０１２．ｊｐｇ」、火元経路情報が「ＡＤ０３  ＡＤ０８  ＡＤ１１  ＡＤ０９」である。
火元経路情報として格納されている火災感知器のアドレスは、図１に太線Ｌで示すように火災受信機１０から火災感知器ＡＤ１２に至る経路に設置されている火災感知器ＡＤ０３、ＡＤ０８、ＡＤ０９であり、さらに火災感知器ＡＤ０８とＡＤ０９との間の経路がわかりやすいように火災感知器ＡＤ１１を追加して格納している。
【００１５】
（避難経路情報部）
図４は、避難経路情報部１３Ｃに格納される情報を示す図である。
図４において、一番左の表示機番号列に表示機の番号を表示し、その右側に避難経路情報列を表示している。表示機の番号と同じ行に表示機の番号に関連付けられた避難経路情報を表示している。例えば、表示機番号Ｍ１は、避難経路情報が「ＡＤ１３  ＡＤ１４  ＡＤ１７」である。
避難経路情報として格納されている火災感知器のアドレスは、図１に太破線Ｈで示すように、表示機Ｍ２から非常口に至る経路に設置されている火災感知器ＡＤ１３、ＡＤ１４、ＡＤ１７である。
【００１６】
（火災受信機の動作）
火災受信機１０の動作について説明する。
火災受信機１０は、伝送部１１が伝送線２０に接続された火災感知器と通信して、火災感知器から情報を収集する。火災判定部１２は、収集された火災感知器の情報に火災情報が含まれていないか判定する。火災受信機１０は火災感知器の情報の収集と火災情報が含まれていないかの判定を繰り返し行う。
【００１７】
火災判定部１２は、収集された火災感知器の情報に火災情報が含まれている場合、火災発生と判定し、火災情報を送信した火災感知器（以下、火元火災感知器と呼ぶ）のアドレスを表示操作部１４および表示機制御部１５に通知する。
表示操作部１４は、火元火災感知器のアドレスの通知を受け取ると、記憶部１３の感知器情報部１３Ｂから火元火災感知器の火災感知器情報を読み出し、火災警報表示を行って監視員に火災発生を知らせる。
【００１８】
ここで、図５は火災警報表示の一例である。
表示操作部１４は、従来の火災受信機と同様に、基本情報表示部１４Ａに感知器情報部１３Ｂの火災感知器情報に基づき火元火災感知器のアドレス、地区番号、地区名称を文字表示する。また、表示操作部１４は、火元火災感知器の火災感知器情報に含まれる画像情報と火元経路情報として格納されているアドレスの火災感知器の画像情報に基づき、画像情報部１３Ａから画像データを読み込み、画像表示部１４Ｂの上部に火元火災感知器に関連付けられた画像データを表示し、下部に火元経路情報の火災感知器に関連付けられた画像データをサムネイル表示する。
【００１９】
表示操作部１４は、操作部１４Ｃに「火災確定」、「消防署自動通報」等のソフトウェアスイッチを表示する。
次画像スイッチ１４Ｄおよび前画像スイッチ１４Ｅは、画像表示部１４Ｂの上部の画像を下部にサムネイル表示している画像データと入れ替えて表示するための画像送りスイッチである。
表示モード切替スイッチ１４Ｆは、操作するたびに画像表示部１４Ｂの表示モードを切り替える。表示モードの例としては、火元火災感知器および火元経路情報として格納された火災感知器の画像データを全て並べて表示するサムネイルモード、火災受信機１０から順に火元火災感知器までの画像データを所定時間毎に順に表示するスライドモード等がある。
火元経路転送スイッチ１４Ｇは、操作すると転送部１６から近距離無線通信等により、表示操作部１４が読み込んだ火元火災感知器および火元経路情報として格納された火災感知器の画像データを含む、火災警報情報を携帯端末に送信する。
【００２０】
なお、表示操作部１４は、操作部をハードウェアスイッチとして、表示部と操作部を別々に設けるようにしてもよい。
また、転送部１６に火災判定部１２が火元火災感知器のアドレスを通知するようにして、通知を受けた転送部１６が表示操作部１４と同様に記憶部１３から画像データを読み込み、自動的あるいは火元経路転送スイッチ１４Ｇが操作されたときに携帯端末に送信するようにしてもよい。
【００２１】
表示機制御部１５は、火元火災感知器のアドレスの通知を受け取ると、表示操作部１４と同様に画像情報部１３Ａおよび感知器情報部１３Ｂから火元火災感知器の情報と画像データを読み出し、表示機Ｍ１およびＭ２に送信して、火元火災感知器のアドレス、地区番号、地区名称を表示させると共に画像データを表示させる。また、表示機制御部１５は、避難経路情報部１３Ｃに基づき画像情報部１３Ａから、表示機Ｍ１およびＭ２のそれぞれから非常口までの間に設置されている火災感知器の画像データを読み込み、表示機Ｍ１およびＭ２のそれぞれに対応した画像データを送信して、サムネイル表示させる。表示機の表示について詳細に説明しないが、火災受信機１０の表示操作部１４と同様の表示となっている。
【００２２】
なお、避難経路情報部１３Ｃには、表示機の番号に関連付けて複数の避難経路の情報を格納し、表示機制御部１５が火災判定部１２から通知された火元火災感知器から一番遠い避難経路を選択したり、火元火災感知器からある程度離れていて非常口まで一番近い経路を選択したりするようにしてもよい。
また、火災受信機１０から非常口までの経路の情報を記憶部１３に格納し、火災発生場所を確認した監視員が、表示操作部１４の操作部１４Ｃの「火災確定」、「消防署自動通報」等の所定のスイッチを操作した後に、火元経路情報に基づく画像データ表示に替えて、火災受信機１０から非常口までの経路の画像データを表示するようにしてもよい。
また、火災感知器に関連付けていない画像データを画像情報部１３Ａに格納し、火元経路情報および避難経路情報として画像データの情報を直接格納するようにしてもよい。
また、火元経路情報として火災受信機１０から火災感知器に至る経路の全ての火災感知器のアドレスを格納する代わりに、隣り合う火災感知器のアドレスを隣接情報として格納して、火災発生時に表示操作部１４が隣接情報に基づき火元火災感知器までの経路を検索して、画像データをサムネイル表示するようにしてもよい。同様に表示機制御部１５も隣接情報に基づき避難経路を表示機に表示させるようにしてもよい。
【００２３】
上記のように、火災受信機１０は、火災発生と判断すると、表示操作部１４に従来の火災受信機と同様の火元火災感知器のアドレス、地区番号、地区名称等の文字表示に加え、火元火災感知器のアドレスに関連付けられた画像データを表示するため、監視員が火元火災感知器の場所を把握しやすいため、火災発生場所に急行することができ、初期消火や消防への通報等の火災発生時に実行しなければならない作業を迅速に行うことができる。
また、火災受信機１０から火災発生場所である火元火災感知器に至る経路の画像データを表示操作部１４に表示するため、さらに火元火災感知器の場所を把握しやすい。
また、転送部１６によって携帯端末に火元火災感知器の場所やそこまでの経路（火元経路情報）の画像データが携帯端末に送信されるため、監視員は火災発生場所に向かう間も画像を見ることができ、火災発生場所を間違えにくい。
また、表示機制御部１５によって表示機から非常口に至る経路の画像データを表示機に表示させるため、避難者は避難経路を把握して迅速に避難することができる。
また、火元経路情報および避難経路情報として、経路上に設置されている火災感知器のアドレスを格納し、火災感知器のアドレスに関連付けた画像データを利用して経路をわかりやすく表示するため、記憶部１３の容量を抑えることができる。
【符号の説明】
【００２４】
１０  火災受信機、１１  伝送部、１２  火災判定部、１３  記憶部、１３Ａ  画像情報部、１３Ｂ  感知器情報部、１３Ｃ  避難経路情報部、１４  表示操作部、１４Ａ  基本情報表示部、１４Ｂ  画像表示部、１４Ｃ  操作部、１４Ｄ  次画像スイッチ、１４Ｅ  前画像スイッチ、１４Ｆ  表示モード切替スイッチ、１４Ｇ  火元経路転送スイッチ、
１５  表示機制御部、１６  転送部、ＡＤ１〜１７  火災感知器、Ｍ１〜Ｍ２  表示機
【図１】
0006552226.tif 000002
【図２】
0006552226.tif 000003
【図３】
0006552226.tif 000004
【図４】
0006552226.tif 000005
【図５】
0006552226.tif 000006